(57)【要約】【課題】消臭性能に優れた暖房機を提供する。【解決手段】熱源部１と、この熱源部１により加熱され、かつ外面が熱輻射用の放熱面３４とされている放熱用パネル部Ｐと、を備えている、暖房機Ｈであって、放熱用パネル部Ｐは、熱源部１により内部空気が加熱されることによって空気の対流を生じさせる上下開放状の空洞部５を形成しており、この空洞部５の内壁面に、消臭機能付き塗料層６が設けられている。【選択図】  図３
2019039629.tif 000002
【特許請求の範囲】
【請求項１】
熱源部と、
この熱源部により加熱され、かつ外面が熱輻射用の放熱面とされている放熱用パネル部と、
を備えている、暖房機であって、
前記放熱用パネル部は、内部空気が加熱されることによって空気の対流を生じさせる上下開放状の空洞部を形成しており、
この空洞部の内壁面に、消臭機能付き塗料層が設けられていることを特徴とする、暖房機。
【請求項２】
請求項１に記載の暖房機であって、
前記消臭機能付き塗料層は、前記空洞部の内壁面の略全域に設けられている、暖房機。
【請求項３】
請求項１または２に記載の暖房機であって、
前記消臭機能付き塗料層の表面は、粗面とされている、暖房機。
【請求項４】
請求項１ないし３のいずれかに記載の暖房機であって、
前記放熱用パネル部は、
外面が前記放熱面とされた外側パネル本体部を有する外側パネルと、
前記外側パネル本体部よりも前記熱源部寄りの内側に位置して前記外側パネル本体部に対向する内側パネル本体部を有し、かつ前記外側パネルと組み合わされることにより、前記外側パネル本体部と前記内側パネル本体部との相互間に前記空洞部を形成する内側パネルと、
を備えている、暖房機。
【請求項５】
請求項４に記載の暖房機であって、
前記外側パネル本体部および前記内側パネル本体部のうち、少なくとも一方には、他方側に向けて突出し、かつ上下高さ方向に延びる複数のフィンが設けられており、
これら複数のフィンの外面に、前記消臭機能付き塗料層が設けられている、暖房機。
【発明の詳細な説明】
【技術分野】
【０００１】
本発明は、パネルヒータなどの暖房機に関する。
【背景技術】
【０００２】
パネルヒータの具体例として、特許文献１に記載のものがある。
同文献に記載のパネルヒータは、面状発熱体などの熱源部によって加熱される放熱用パネル部を備えており、この放熱用パネル部の外面（前面）が、熱輻射用の放熱面とされている。この放熱面には、消臭機能付き塗料層が設けられている。
このような構成によれば、室内を暖房しつつ、室内の消臭をも図ることが可能である。
【０００３】
しかしながら、前記従来技術においては、次に述べるように、改善すべき余地がある。
【０００４】
すなわち、消臭性能を高めるには、消臭機能付き塗料層にできる限り多くの室内空気を触れさせる必要がある。これに対し、前記従来技術においては、消臭機能付き塗料層が熱輻射用の放熱面に設けられているに過ぎない。このため、前記放熱面の周辺部に空気の自然対流が生じる作用を利用し、この空気の一部を消臭機能付き塗料層に触れさせることは可能であるものの、このような原理によれば、消臭機能付き塗料層に実際に触れる空気の量は、前記した自然対流を生じている空気のうちのごく僅かである。また、前記放熱面は、パネルヒータの外部に晒された熱輻射面であるため、前記した自然対流が生じたとしても、前記放熱面の消臭機能付き塗料層に沿って流れる空気量もさほど多くはない。したがって、前記従来の暖房機の消臭性能は、未だ十分に満足できるものではなく、この点において改善の余地がある。
【先行技術文献】
【特許文献】
【０００５】
【特許文献１】特公平６−３２２７１号公報
【発明の概要】
【発明が解決しようとする課題】
【０００６】
本発明は、前記したような事情のもとで考え出されたものであり、従来よりも消臭性能に優れた暖房機を提供することを、その課題としている。
【課題を解決するための手段】
【０００７】
前記の課題を解決するため、本発明では、次の技術的手段を講じている。
【０００８】
本発明により提供される暖房機は、熱源部と、この熱源部により加熱され、かつ外面が熱輻射用の放熱面とされている放熱用パネル部と、を備えている、暖房機であって、前記放熱用パネル部は、内部空気が加熱されることによって空気の対流を生じさせる上下開放状の空洞部を形成しており、この空洞部の内壁面に、消臭機能付き塗料層が設けられていることを特徴としている。
【０００９】
このような構成によれば、次のような効果が得られる。
すなわち、放熱用パネル部に形成された空洞部においては、熱源部によって内部空気が加熱されることによって空気の対流が生じ、空洞部の上方からは暖まった空気が流出する一方、空洞部の下方からは新たな空気が流入する。本発明においては、そのような空気の流れが活発に生じる空洞部の内壁面に、消臭機能付き塗料層が設けられているため、この消臭機能付き塗料層には多くの空気を効率よく触れさせることができる。したがって、消
臭機能付き塗料層を熱輻射用の放熱面のみに設けていた従来技術よりも、消臭性能を優れたものとすることができる。
また、本発明によれば、熱輻射式暖房に加え、対流式暖房も同時に行なわれるため、優れた暖房性能も得られる。
【００１０】
本発明において、好ましくは、前記消臭機能付き塗料層は、前記空洞部の内壁面の略全域に設けられている。
【００１１】
このような構成によれば、消臭機能付き塗料層の面積が大きくなるため、消臭性能をより優れたものとすることができる。
【００１２】
本発明において、好ましくは、前記消臭機能付き塗料層の表面は、粗面とされている。
【００１３】
このような構成によれば、消臭機能付き塗料層の表面積が大きくなること、および消臭機能付き塗料層の表面に沿って空気が流れる際に、この空気が乱流状態となって消臭機能付き塗料層に対する接触度合いが高められることにより、消臭性能を一層優れたものとすることができる。
【００１４】
本発明において、好ましくは、前記放熱用パネル部は、外面が前記放熱面とされた外側パネル本体部を有する外側パネルと、前記外側パネル本体部よりも前記熱源部寄りの内側に位置して前記外側パネル本体部に対向する内側パネル本体部を有し、かつ前記外側パネルと組み合わされることにより、前記外側パネル本体部と前記内側パネル本体部との相互間に前記空洞部を形成する内側パネルと、を備えている。
【００１５】
このような構成によれば、次のような効果が得られる。
すなわち、空洞部は、外側パネルと内側パネルとを組み合わせて構成されているため、空洞部の内壁面に塗装を施し、消臭機能付き塗料層を設ける作業は、外側パネルと内側パネルとを組み付ける前の段階において、非筒状の外側パネルに対し、あるいは非筒状の内側パネルに対して容易に行なうことが可能となる。本発明においては、放熱用パネル部をたとえば押し出し成形による中空部材として形成することも可能であるが、この場合には、空洞部の内壁面に塗装を施す作業が困難化する。これに対し、前記構成によれば、そのような不具合をなくすことが可能である。
【００１６】
本発明において、好ましくは、前記外側パネル本体部および前記内側パネル本体部のうち、少なくとも一方には、他方側に向けて突出し、かつ上下高さ方向に延びる複数のフィンが設けられており、これら複数のフィンの外面に、前記消臭機能付き塗料層が設けられている。
【００１７】
このような構成によれば、複数のフィンを利用して空洞部の内部空気を加熱することが可能となるため、空洞部の内部空気に対する加熱効率をよくすることができる。加えて、それら複数のフィンに消臭機能付き塗料層が設けられることにより、この消臭機能付き塗料層の面積を大きくすることができるため、消臭性能を高める上で一層好ましいものとなる。
【００１８】
本発明のその他の特徴および利点は、添付図面を参照して以下に行なう発明の実施の形態の説明から、より明らかになるであろう。
【図面の簡単な説明】
【００１９】
【図１】本発明に係る暖房機の一例を示す概略説明図である。
【図２】図１に示す暖房機の分解図である。
【図３】図１のIII−III縦断面図である。
【図４】図１のIV−IV平面断面図である。
【図５】図４に示す構造の要部分解平面断面図である。
【図６】図１に示す暖房機の放熱用パネル部の分解斜視図である。
【図７】本発明の他の例を示す断面図である。
【発明を実施するための形態】
【００２０】
以下、本発明の好ましい実施の形態について、図面を参照して具体的に説明する。
【００２１】
図１および図２に示す暖房機Ｈは、温水式パネルヒータであり、温水配管１、この温水配管１の両側に位置する一対の放熱用パネル部Ｐ、上側カバー２Ａ、左右一対のサイドカバー２Ｂ、および支持台２Ｃ（図３を参照、図１および図２では省略）を備えている。
【００２２】
温水配管１は、不図示の給湯装置から供給されてくる温水が内部を流通し、かつその際に周辺部への放熱を行なう部位であり、本発明でいう熱源部の一例に相当する。この温水配管１は、たとえば蛇行状である。また、放熱用パネル部Ｐへの熱伝達量を多くし得るように、外面に平面部が形成された断面長円状の管体を用いて構成されている（図３〜図５を参照）。
【００２３】
各放熱用パネル部Ｐは、温水配管１から発せられる熱によって加熱される部位であり、その外面は熱輻射用の放熱面３４とされ、かつ内側には空気の対流を生じさせるための上下開放状の空洞部５を形成している。図５および図６に示すように、放熱用パネル部Ｐは、外側パネル３と内側パネル４とを組み合わせて構成されている。これらは、たとえばアルミニウムまたはその合金などの金属製である。
【００２４】
外側パネル３は、外面が既述した熱輻射用の放熱面３４とされている略平板状の外側パネル本体部３０、およびその両端に屈曲状に連設された一対の側板部３１を備えている。これに対し、内側パネル４は、外側パネル本体部３０に対向する略平板状の内側パネル本体部４０、その両端に屈曲状に連設された一対の側板部４１、および内側パネル本体部４０から外側パネル３側に向けて突出した複数のフィン４２を備えている。これら複数のフィン４２は、上下高さ方向に延び、かつ横幅方向に適当な間隔を隔てて並んでいる。
【００２５】
図３および図４に示すように、外側パネル３および内側パネル４は、これら両者によってその相互間に空洞部５を形成するように組み合わされている。空洞部５は、複数のフィン４２によって複数の領域に区分されている。図４の主要図では、各フィン４２の先端部が外側パネル本体部３０に接触しているように示されているが、実際には、同図の要部拡大図ａに示すように、それらの相互間には、適当な幅Ｌａの隙間Ｃが形成されている。このような構成によれば、フィン４２に寸法誤差があるような場合において、外側パネル３と内側パネル４とを組み付ける際に、フィン４２の先端部が外側パネル本体部３０に強く当たり、外側パネル３と内側パネル４との組み付け作業が困難化するなどの不具合を回避することができる。勿論、これとは異なり、フィン４２の先端部を外側パネル本体部３０に接触させて隙間Ｃをなくしてもよい。この場合には、フィン４２から外側パネル本体部３０への直接的な熱伝達を生じさせることが可能である。
【００２６】
図３に示すように、各空洞部５は、上下両端が開放状態の筒状空洞部とされている。温水配管１内に温水が流通すると、空洞部５内の空気が暖められる。すると、煙突効果によって前記空気は上昇し、上側カバー２Ａの通気口２０を通過して暖房機Ｈの上方に流出する。その際、空洞部５の内部には、その下端の開口部分から室内空気が流入する。一方、空洞部５よりも外側に位置する外側パネル３は、空洞部５を介して加熱される。このため、放熱用パネル部Ｐの外面である放熱面３４からは、その正面方向などに向けて熱輻射が
なされる。
【００２７】
図３および図４において、空洞部５の内壁面の略全域には、消臭機能付き塗料層６（６ａ）が設けられている。具体的には、内側パネル本体部４０および外側パネル本体部３０の互いに対向する面や、複数のフィン４２の表面などに、消臭機能付き塗料層６が設けられている。本実施形態では、放熱面３４にも消臭機能付き塗料層６（６ｂ）が設けられている。図１および図２では消臭機能付き塗料層６の記載を省略している。
【００２８】
消臭機能付き塗料層６としては、たとえば活性炭、ゼオライト、または鉄化合物とアスコルビン酸とを組み合わせたものなどを消臭材として塗料中に含有させたものが代表例として挙げられる。これ以外としても、特開平５−１４０４７９号公報、特開平１−２１７０８３号公報、特開平２−９２９６７号公報、特開平２−３０５８６７号公報など、消臭機能を備えた塗料としては様々なものがある。本実施形態における消臭機能付き塗料層６は、温水配管１によって加熱される条件下で使用されるが、このような条件下である程度の消臭機能を発揮し得るものであればよく、消臭機能付き塗料層６の具体的な組成、成分などは問わない。
【００２９】
好ましくは、消臭機能付き塗料層６は、遠赤外線放射機能をさらに備えたものとされる。これは、遠赤外線セラミックなどの遠赤外線放射材をさらに含有させることにより実現できる。このような構成によれば、暖房対象の室内に遠赤外線を放射し得ることは勿論のこと、たとえば内側パネル４の消臭機能付き塗料層６から外側パネル３に向けて遠赤外線を放射させることが可能となるため、外側パネル３の加熱効率を高めることができるといった効果も得られる。
【００３０】
図４の要部拡大図ｂに示すように、消臭機能付き塗料層６の表面は、粗面とされている。このための手段として、たとえば外側パネル３および内側パネル４のうち、消臭機能付き塗料層６の下地面に予め粗面化処理を施しておく手段を採用することができる。下地面に粗面化処理を施しておけば、消臭機能付き塗料層６を形成する作業は、通常の塗装処理でよいこととなり、その作業性がよい。また、下地面と消臭機能付き塗料層６との接触面積が大きくなるため、これらの密着強度を高くすることも可能である。ただし、本実施形態とは異なり、消臭機能付き塗料層６の下地面を、粗面化処理が施されていない面とすることもできる。
【００３１】
次に、前記した暖房機Ｈの作用について説明する。
【００３２】
まず、温水配管１に温水が供給されると、その熱は温水配管１から放熱用パネル部Ｐの各部に伝達する。このため、放熱面３４からは熱輻射を生じさせることができる。空洞部５においては、既述したように、内部空気が暖められることによる煙突効果を生じさせ、暖められた空気を上側カバー２Ａの通気口２０から上昇流出させるとともに、室内空気を空洞部５内にその下端開口部から流入させる自然対流を生じさせることができる。このことにより、静寂性に優れ、自然な状態の暖房効果が得られる。
【００３３】
空洞部５には、前記したような空気の流れが生じているのに対し、この空洞部５の内壁面には、消臭機能付き塗料層６（６ａ）が設けられているため、この消臭機能付き塗料層６には、多量の空気が効率よく触れる。また、消臭機能付き塗料層６ａは、空洞部５の内壁面の略全域の広い範囲にわたって設けられていること、および消臭機能付き塗料層６ａの表面が粗面とされていることなどにより、消臭機能付き塗料層６ａにはより多くの空気が効率よく触れることとなる。その結果、空気中の臭い成分を消臭機能付き塗料層６に多く吸着させ、暖房機Ｈの消臭性能を優れたものとすることができる。熱輻射用の放熱面３４にも、消臭機能付き塗料層６（６ｂ）が設けられているため、消臭性能をさらに高める
ことも可能である。
【００３４】
各放熱用パネル部Ｐは、既述したように、外側パネル３と内側パネル４とを組み合わせることにより構成されており、空洞部５に消臭機能付き塗料層６を設けるための塗装作業を行なう際には、たとえば図６に示すように、外側パネル３と内側パネル４とを互いに組み付けていない状態で行なうことができる。したがって、消臭機能付き塗料層６を設けるための作業性を良好にすることも可能である。
本発明において、放熱用パネル部Ｐは、押し出し成形の手法を用いるなどして、たとえば図７に示すような中空状断面をもつ単一物として形成することも可能である。ただし、この場合には、空洞部５の内壁面に消臭機能付き塗料層６を設けるための塗装作業が困難化する。本実施形態の放熱用パネル部Ｐの構成によれば、そのような不具合を解消することが可能である。
【００３５】
本発明は、上述した実施形態の内容に限定されない。本発明に係る暖房機の各部の具体的な構成は、本発明の意図する範囲内において種々に設計変更自在である。
【００３６】
消臭機能付き塗料層は、空洞部の内壁面の略全域に設けることが好ましいものの、本発明はこれに限定されず、空洞部の内壁面のうち、一部の領域のみに消臭機能付き塗料層が設けられている場合であっても、本発明の技術的範囲に包摂される。空洞部５内にフィン４２が設けられている場合、このフィン４２の表面は、本発明でいう空洞部の内壁面に相当する。
【００３７】
複数のフィン４２は、内側パネル４に代えて、外側パネル３に設けた構成とすることも可能である。ただし、外側パネル３にフィン４２を設けた場合には、内側パネル４にフィン４２を設けた場合よりも、熱源部（温水配管１など）からフィン４２への熱伝達量は少なくなる。したがって、複数のフィン４２は、内側パネル４に設けることが望ましい。
【００３８】
消臭機能付き塗料層としては、様々なものを用いることができることは先に述べたとおりである。消臭機能付き塗料層の表面は、粗面とすることが好ましいものの、非粗面状態であってもよい。
本発明に係る暖房機は、温水式パネルヒータに限らず、熱源部として、たとえば電熱ヒータを用いたものとすることもできる。
【符号の説明】
【００３９】
Ｈ  暖房機
Ｐ  放熱用パネル部
１  温水配管（熱源部）
３  外側パネル
３０  外側パネル本体部
４  内側パネル
４０  内側パネル本体部
４２  フィン
５  空洞部
６  消臭機能付き塗料層
【図１】
2019039629.tif 000003
【図２】
2019039629.tif 000004
【図３】
2019039629.tif 000005
【図４】
2019039629.tif 000006
【図５】
2019039629.tif 000007
【図６】
2019039629.tif 000008
【図７】
2019039629.tif 000009